(57)【要約】【課題】マルチビュー放送サービスを利用しやすくする。【解決手段】受信装置は、番組を含む放送波を受信する放送受信部と、自装置とは異なる他装置と通信する通信部と、前記放送受信部又は前記通信部により、前記番組の放送日時と、前記番組がマルチビュー放送に対応しているか否かを示す情報とを含む番組情報を取得する番組情報取得部と、前記番組がマルチビュー放送に対応している場合に、当該番組の放送日時に応じて定まる領域に当該番組がマルチビュー放送に対応していることを示す情報を、前記番組情報取得部が取得する前記番組情報に基づいて表示する表示部と、を備える。【選択図】図２
2016096512.tif 000002
【特許請求の範囲】
【請求項１】
番組を含む放送波を受信する放送受信部と、
自装置とは異なる他装置と通信する通信部と、
前記放送受信部又は前記通信部により、前記番組の放送日時と、前記番組がマルチビュー放送に対応しているか否かを示す情報とを含む番組情報を取得する番組情報取得部と、
前記番組がマルチビュー放送に対応している場合に、当該番組の放送日時に応じて定まる領域に当該番組がマルチビュー放送に対応していることを示す情報を、前記番組情報取得部が取得する前記番組情報に基づいて表示する表示部と、
を備えることを特徴とする受信装置。
【請求項２】
前記表示部は、前記番組がマルチビュー放送に対応している場合、前記番組情報に基づいて、前記番組の放送日時に応じて定まる領域内に当該番組を構成する複数の映像のうち、少なくともいずれか１つを選択する操作を受け付ける情報を表示する
ことを特徴とする請求項１に記載の受信装置。
【請求項３】
前記放送受信部又は前記通信部により、マルチビュー放送に対応している番組を構成する複数の映像データのうちの少なくとも一部が取得できない場合に、当該映像データが示す映像を選択する操作を受け付ける情報を表示しない
ことを特徴とする請求項１又は請求項２に記載の受信装置。
【請求項４】
前記表示部は、前記放送受信部又は前記通信部により、マルチビュー放送に対応している番組を構成する映像データのうちの少なくとも一部が取得できない場合に、当該番組がマルチビュー放送に対応していることを示す前記情報を表示しない
ことを特徴とする請求項１から請求項３のいずれか一項に記載の受信装置。
【請求項５】
番組を含む放送波を受信する放送受信部と、自装置とは異なる他装置と通信する通信部と、表示部と、制御部と、を備える受信装置における情報処理方法であって、
前記制御部が、前記放送受信部又は前記通信部により、前記番組の放送日時と、前記番組がマルチビュー放送に対応しているか否かを示す情報とを含む番組情報を取得する取得過程と、
前記制御部が、前記番組がマルチビュー放送に対応している場合に、当該番組の放送日時に応じて定まる領域に当該番組がマルチビュー放送に対応していることを示す情報を、前記番組情報に基づいて前記表示部に表示させる表示過程と、
を含むことを特徴とする情報処理方法。
【請求項６】
番組を含む放送波を受信する放送受信部と、自装置とは異なる他装置と通信する通信部と、表示部と、を備える受信装置のコンピュータに、
前記放送受信部又は前記通信部により、前記番組の放送日時と、前記番組がマルチビュー放送に対応しているか否かを示す情報とを含む番組情報を取得する取得ステップ、
前記番組がマルチビュー放送に対応している場合に、当該番組の放送日時に応じて定まる領域に当該番組がマルチビュー放送に対応していることを示す情報を、前記番組情報に基づいて前記表示部に表示させる表示ステップ、
を実行させるためのプログラム。
【発明の詳細な説明】
【技術分野】
【０００１】
本発明は、受信装置、情報処理方法、及びプログラムに関する。
【背景技術】
【０００２】
テレビジョン放送においては、地上波放送、衛星放送、専用回線を用いた映像・音声のコンテンツの放送があり、またインターネット、携帯電話網などの通信ネットワークを介した動画コンテンツの配信サービスが提供されている。特許文献１には、（１）放送番組を視聴するためのテレビジョン機能を有するパーソナルコンピュータ（ＰＣ）は放送局が放送した番組情報から電子番組表（ＥＰＧ、Electronic Program Guide）を作成する機能を有すること、（２）放送局はインターネット上のサーバーに予告映像データをアップロードすること、（３）放送局はサーバーのＵＲＬを含む番組情報を放送番組とともに放送すること、（４）ＰＣは受信した番組情報に含まれるＵＲＬを参照してサーバーから予告映像データを取得すること、（５）ＰＣはＥＰＧ上で予告映像を再生する機能を有すること、（６）ＰＣはＥＰＧ上で複数の放送番組についての予告映像を同時に再生することができること、が記載されている。
【先行技術文献】
【特許文献】
【０００３】
【特許文献１】特開２００９−２２４８９７号公報
【発明の概要】
【発明が解決しようとする課題】
【０００４】
ところで、近年、マルチビュー放送サービスの提供が考えられている。マルチビューとは、複数の観点からの音声とか画像の表示である。このマルチビュー放送サービスにおいて、番組は、例えば、メイン映像とサブ映像との複数の映像により構成され、ユーザは、複数の映像のうちのいずれか、又は、組み合わせを選択して、選択した映像により構成される番組を視聴することができる。しかしながら、特許文献１では、ＥＰＧ上で複数の放送番組についての予告映像を同時に再生することができるものの、番組がマルチビュー放送サービスに対応していることをＥＰＧ上で表示することができないとの欠点があった。
【０００５】
本発明は上記の点に鑑みてなされたものであり、マルチビュー放送サービスを利用しやすくすることができる受信装置、情報処理方法、及びプログラムを提供する。
【課題を解決するための手段】
【０００６】
（１）本発明は上記の課題を解決するためになされたものであり、本発明の一態様は、番組を含む放送波を受信する放送受信部と、自装置とは異なる他装置と通信する通信部と、前記放送受信部又は前記通信部により、前記番組の放送日時と、前記番組がマルチビュー放送に対応しているか否かを示す情報とを含む番組情報を取得する番組情報取得部と、前記番組がマルチビュー放送に対応している場合に、当該番組の放送日時に応じて定まる領域に当該番組がマルチビュー放送に対応していることを示す情報を、前記番組情報取得部が取得する前記番組情報に基づいて表示する表示部と、を備えることを特徴とする受信装置である。
【０００７】
（２）また、本発明の一態様は、番組を含む放送波を受信する放送受信部と、自装置とは異なる他装置と通信する通信部と、表示部と、制御部と、を備える受信装置における情報処理方法であって、前記制御部が、前記放送受信部又は前記通信部により、前記番組の放送日時と、前記番組がマルチビュー放送に対応しているか否かを示す情報とを含む番組情報を取得する取得過程と、前記制御部が、前記番組がマルチビュー放送に対応している場合に、当該番組の放送日時に応じて定まる領域に当該番組がマルチビュー放送に対応していることを示す情報を、前記番組情報に基づいて前記表示部に表示させる表示過程と、
を含むことを特徴とする情報処理方法である。
【０００８】
（３）また、本発明の一態様は、番組を含む放送波を受信する放送受信部と、自装置とは異なる他装置と通信する通信部と、表示部と、を備える受信装置のコンピュータに、前記放送受信部又は前記通信部により、前記番組の放送日時と、前記番組がマルチビュー放送に対応しているか否かを示す情報とを含む番組情報を取得する取得ステップ、前記番組がマルチビュー放送に対応している場合に、当該番組の放送日時に応じて定まる領域に当該番組がマルチビュー放送に対応していることを示す情報を、前記番組情報に基づいて前記表示部に表示させる表示ステップ、を実行させるためのプログラムである。
【発明の効果】
【０００９】
本発明によれば、マルチビュー放送サービスを利用しやすくすることができる。
【図面の簡単な説明】
【００１０】
【図１】本発明の第１の実施形態に係る放送システムの構成の一例を示すブロック図である。
【図２】同実施形態に係る電子番組表の一例を示す模式図である。
【図３】同実施形態に係るＭＭＴパッケージテーブルのデータ構造を示す概略図である。
【図４】同実施形態に係るＭＨ−ＥＩＴのデータ構造を示す概略図である。
【図５】同実施形態に係るＭＨ−コンポーネントグループ記述子のデータ構造を示す概略図である。
【図６】同実施形態に係るコンポーネントグループの設定例を示す図である。
【図７】同実施形態に係るＭＨ−短形式イベント記述子のデータ構造を示す概略図である。
【図８】同実施形態に係るＭＨ−拡張形式イベント記述子のデータ構造を示す概略図である。
【図９】同実施形態に係る受信装置の機能構成の一例を示すブロック図である。
【図１０】同実施形態に係る受信装置による処理の流れの一例を示すフローチャートである。
【図１１】本発明の第２の実施形態に係る電子番組表の一例を示す図である。
【図１２】本発明の各実施形態に係る受信装置のハードウェア構成の一例を示すブロック図である。
【発明を実施するための形態】
【００１１】
以下、図面を参照しながら本発明の実施形態について説明する。
（第１の実施形態）
［放送システムの構成］
まず、本発明の第１の実施形態に係る放送システム１について説明する。
図１は、本実施形態に係る放送システム１の概念図である。
放送システム１は、受信装置１０と、送信装置２０と、サーバー装置３０とを含んで構成される。放送システム１において、受信装置１０と、送信装置２０と、サーバー装置３０とは、それぞれ複数存在しうる。しかし、以下では説明を簡潔にするため、受信装置１０と、送信装置２０と、サーバー装置３０とが、それぞれ１つずつ含まれる場合について説明する。また、以下では、一例として、放送システム１がメディアトランスポート方式としてＭＭＴ（MPEG Media Transport）方式を用いる場合について説明する。
送信装置２０は、番組データｉ１と番組情報ｉ２とが多重化された放送波を送出することができる。送信装置２０から送信された放送波は、地上波を用いるか、又はケーブルのような有線伝送路を介するか、又は放送衛星ＢＳを介して受信装置１０に伝送される。以下では放送衛星ＢＳを介して伝送される場合を例にして説明をする。ここで、番組情報ｉ２とは、放送波により伝送される放送番組についての付帯情報である。具体的には、例えば、番組情報ｉ２には、番組識別情報と、放送日時情報とが含まれる。番組識別情報とは、放送番組を識別する情報、すなわち放送される事項（番組）の種類、内容、分量、及び配列である。放送日時情報とは、番組の放送日時を示す情報である。また、番組情報ｉ２には、番組表の生成に用いられる各種情報が含まれる。
【００１２】
サーバー装置３０は、ネットワークＮＷを介し、受信装置１０との間で双方向の通信を行う電子機器である。本実施形態において、サーバー装置３０は、コンテンツを示すコンテンツデータを管理する。そして、サーバー装置３０は、自装置が管理するコンテンツデータを、受信装置１０に送信する。ここで、サーバー装置３０が管理するコンテンツとは、映像（動画像）、静止画像、音声、テキストなどにより構成され、受信装置１０により再生される情報である。コンテンツの具体例については、後述する。
【００１３】
受信装置１０は、放送（ＢＳ放送）と通信（ネットワークＮＷを介する通信）とにより伝送される情報を受信する。以下では、一例として、受信装置１０とは、テレビジョン受像機（テレビ）であるとして説明する。つまり、受信装置１０とは、送信装置２０から送出された放送波を受信し、放送波に含まれる番組データｉ１を表示するテレビである。受信装置１０は、放送波に含まれる番組情報ｉ２を取得する。また、受信装置１０は、通信を介してサーバー装置３０からコンテンツデータｉ３を取得する。次に、受信装置１０は、取得した番組情報ｉ２とコンテンツデータｉ３とに基づいて電子番組表を生成する。そして、受信装置１０は、生成した電子番組表を表示する。
【００１４】
［電子番組表の概要］
ここで、電子番組表の概要について説明する。
図２は、本実施形態に係る受信装置１０が表示する電子番組表の一例を示す模式図である。
図２に示す電子番組表の例において、放送事業者は、電子番組表の一段目に示される。また、番組の放送時刻は、電子番組表の左端の列に示される。つまり、放送事業者別の各番組の放送日時は、一段目に示される放送事業者と、左端の列に示される時刻とにより定まる枠により表されている。以下では、この枠により定まる各番組の領域をセルと称する。具体的には、例えば、この電子番組表の一段目に示す放送事業者のうち左端の放送事業者はＡテレビジョンである。
【００１５】
本実施形態に係る受信装置１０は、番組がマルチビュー放送に対応している場合に、電子番組表において、その番組がマルチビュー放送に対応していることを示す情報を表示する。以下では、マルチビュー放送に対応している番組を、「マルチビュー番組」と称する。マルチビュー番組とは、１つの番組が複数の映像により構成される番組である。つまり、マルチビュー番組では、同じフレームにおいて、複数の画像が対応付けられている。マルチビュー番組は、例えば、撮影位置、撮影方向の異なる複数のカメラにより撮像された映像により構成されるマルチアングル番組である。以下では、マルチビュー番組がメイン映像と、メイン映像以外のサブ映像とにより構成される場合について説明する。また、マルチビュー番組の伝送において、メイン映像が放送を介して伝送され、サブ映像が通信を介して伝送される場合について説明する。
【００１６】
上述したように受信装置１０は、番組がマルチビュー番組である場合に、電子番組表において、その番組がマルチビュー番組であることを示す情報を表示する。マルチビュー番組であることを示す情報の表示の具体例について説明する。
図２に示す例において、「Ａテレビジョン」が「７」時から「９」時の間に放送する番組「東京Ｇ  ｖｓ  大阪Ｔ」は、マルチビュー番組である。受信装置１０は、この番組を表す枠（セル）内にマルチビュー番組であることを表すアイコン画像Ｐ１１を表示する。なお、マルチビュー番組であることを表す情報は、任意のデザインの画像、任意の文字列からなるテキストなどにより表されてよい。このように、受信装置１０は、番組がマルチビュー番組である場合には、アイコン画像Ｐ１１を電子番組表に表示する。このアイコン画像Ｐ１１には「ＭＶ」の文字が付されている。これにより、ユーザは、電子番組表を確認することによりマルチビュー放送に対応する番組を容易に認識することができる。
【００１７】
また、アイコン画像Ｐ１２〜Ｐ１４は、それぞれ、対応する映像を選択する操作を受け付けるボタン画像である。ボタン画像Ｐ１２はメイン映像に対応し、「メイン」との文字が付されている。ユーザによりボタン画像Ｐ１２を選択されると、メイン映像が受信装置１０の表示部１５（図９）に表示される。また、ボタン画像Ｐ１２、Ｐ１３、Ｐ１４、Ｐ１５はサブ画像に対応し、それぞれ、「一塁側」、「二塁側」、「三塁側」の文字が付されている。ユーザにより、ボタン画像Ｐ１３、Ｐ１４、Ｐ１５のいずれかが選択されると、選択された画像に対応する、「一塁側」、「二塁側」、「三塁側」から撮像されたサブ映像が表示部１５に表示される。このように、番組がマルチビュー番組である場合には、その番組に対応するセルにおいて、マルチビュー番組に特有の情報が表示される。
【００１８】
また、受信装置１０は、アイコン画像Ｐ２１、Ｐ３２が選択されると「トランスポン太」という題名の映画をサーバー装置３０から取得して、先頭から再生する。また、アイコン画像Ｐ２２は、サーバー装置３０から取得されたコンテンツデータに基づいて表示された、「トランスポン太」という題名の映画のダイジェスト画像である。また、アイコン画像Ｐ２３、Ｐ４１は、サーバー装置３０から取得されたコンテンツデータに基づいて表示された、番組のサムネイルを示す画像である。また、アイコン画像Ｐ３１はサーバー装置３０から取得されたコンテンツデータに基づいて表示されたコマーシャル動画である。また、アイコン画像Ｐ２４、Ｐ４２、Ｐ４３、Ｐ４４は、それぞれ、サイトへのリンクを示す画像である。
【００１９】
［番組情報］
次に、図３〜図８を参照して、番組情報の例について説明する。
本実施形態に係る番組情報とは、具体的には、ＭＭＴ−ＳＩ（伝送制御信号）である。ＭＭＴ−ＳＩは、ＭＰＴ（ＭＭＴパッケージテーブル、MMT Package Table）、ＭＨ−ＥＩＴ（ＭＨ−イベント情報テーブル、MH-Event Information Table）、ＭＨ−ＢＩＴ（ＭＨ−ブロードキャスタ情報テーブル、MH-Broadcaster Information Table）、ＭＨ−ＳＤＴ（ＭＨ−サービス記述テーブル、MH-Service Description Table）などの各種テーブルを含む。
【００２０】
ＭＨ−ＥＩＴは、番組の名称、放送日時、放送内容の説明など、番組に関する情報を伝送するテーブルである。
ＭＨ−ＢＩＴは、ネットワーク上に存在するブロードキャスタの情報を提示するために用いられるテーブルである。
ＭＨ−ＳＤＴは、編成チャンネルの名称、放送事業者の名称など、編成チャンネルに関する情報を伝送するテーブルである。
【００２１】
次に、ＭＭＴ−ＳＩに含まれる各種テーブル及び記述子のデータ構造について説明する。
なお、ここでは、説明を簡潔にするため、電子番組表の表示に係る一部のテーブル及び記述子についての説明に留めるが、放送システム１は、ＭＭＴ方式に係る全てのテーブルを扱うことができる。
【００２２】
［ＭＰＴのデータ構造］
まず、ＭＰＴについて説明する。
図３は、本実施形態に係るＭＰＴのデータ構造を示す概略図である。
図３に示す例では、ＭＰＴ（MMT_Package_Table()）は、ＭＰＴ記述子領域（MPT_descriptors_byte）を含む。ＭＰＴ記述子領域（MPT_descriptors_byte）は、ＭＰＴの記述子が記述される領域である。番組がマルチビュー番組である場合、ＭＰＴの記述子領域には、ＭＨ−コンポーネントグループ記述子（MH-Component_Group_Descriptor()）が含まれる。これに対して、番組がマルチビュー番組ではない場合、ＭＰＴの記述子領域には、ＭＨ−コンポーネントグループ記述子が含まれない。
また、ＭＰＴは、アセット毎にアセットタイプ（asset_type）を含む。アセットタイプには、アセットの種類を示す符号が記述される。アセットタイプには、例えば、ＨＥＶＣで符号化された映像データを示すｈｃｖ１と、ＭＰＥＧ−４オーディオで符号化された音声データを示すｍｐ４ａとが記述される。
【００２３】
［ＭＨ−ＥＩＴのデータ構造］
次に、ＭＨ−ＥＩＴについて説明する。
図４は、本実施形態に係るＭＨ−ＥＩＴのデータ構造を示す概略図である。
図４に示す例では、ＭＨ−ＥＩＴ（MH-Event_Information_Table()）は、イベント識別（event_ID）、開始時刻（start_time）、継続時間（duration）を含む。イベント識別とは、イベントの識別番号を示す。具体的には、例えば、イベント識別は、番組の識別情報を示す。開始時刻は、イベントの開始時刻を示す。つまり、開始時刻は、番組の開始時刻（日時）を示す。継続時間は、イベントの継続時間を示す。つまり、継続時間は、番組の放送時間長を示す。
【００２４】
また、ＭＨ−ＥＩＴは、イベント識別毎に記述子領域（descriptor()）を含む。記述子領域は、記述子を格納する領域である。本実施形態に係るＭＨ−ＥＩＴは、例えば、ＭＨ−コンポーネントグループ記述子、ＭＨ−短形式イベント記述子、及びＭＨ−拡張形式イベント記述子を含むことができる。番組名、番組の説明、種類（マルチビュー番組であるか否か）などの情報は、これらの記述子により記述される。
【００２５】
［コンポーネント記述子のデータ構造］
ここで、図５〜図８を参照して、ＭＨ−コンポーネントグループ記述子、ＭＨ−短形式イベント記述子、及びＭＨ−拡張形式イベント記述子について説明する。
まず、ＭＨ−コンポーネント記述子について説明する。
図５は、ＭＨ−コンポーネントグループ記述子のデータ構造を示す概略図である。
図５に示す例では、ＭＨ−コンポーネントグループ記述子（MH-Component_Group_Descriptor()）は、コンポーネントグループ種別（component_group_type）、グループ数（number_of_group）、コンポーネントグループ識別（component_group_id）、コンポーネントタグ値（component_tag）、及びコンポーネント記述（text_char）を含む。コンポーネントグループ種別（component_group_type）には、本記述子で指定されるコンポーネントグループの種別を示す符号が記述される。
【００２６】
放送によりマルチビュー番組が伝送される場合、コンポーネントグループ種別には、マルチビューサービスを示す符号‘０００’が記述される。また、グループ数には、イベント内でのコンポーネントグループの数、つまりマルチビュー番組を構成する映像の数が記述される。また、コンポーネントグループ識別には、コンポーネントグループ個々を識別する番号が記述される。コンポーネントグループ識別には、例えば、メイングループ（主映像等）‘０ｘ０’、サブグループ（副映像等）‘０ｘ１’−‘０ｘＦ’のいずれかが記述される。コンポーネントグループ識別により、マルチビュー番組を構成する個々の映像データが識別される。コンポーネントタグ値には、各コンポーネントグループに属するコンポーネント、つまり構成要素となるデータを指示するコンポーネントタグ値が記述される。コンポーネント記述には、各コンポーネントグループに関する説明を表すテキストが記述される。なお、「…識別」とは、その事物を識別する情報を意味し、「識別子」とも呼ばれる。
【００２７】
次に、主映像と副映像の２つの映像Ｖ０、Ｖ１からなるマルチビューサービスが提供される場合を例にして、主映像と副映像とのコンポーネントグループの設定例について説明する。
図６は、コンポーネントグループの設定例を示す図である。
図６に示す例では、第２、３行に、主映像、副映像それぞれのコンポーネントグループの設定を示す。主映像について、コンポーネントグループ識別として、メイングループであることを示す符号‘０ｘ０’、コンポーネント記述として「通常放送」が設定されている。コンポーネントタグ値として、映像Ｖ０及び音声Ａ０が設定されている。副映像について、コンポーネントグループ識別として、サブグループであることを示す符号‘０ｘ１’、コンポーネント記述として「トップ集団」が設定されている。コンポーネントタグ値として、映像Ｖ１及び音声Ａ０が設定されている。図５に示す例では、映像Ｖ０、Ｖ１のそれぞれについて、共通の音声Ａ０が対応付けられているが、これには限られない。映像Ｖ０、Ｖ１のそれぞれについて、異なる音声、例えば、音声Ａ０、Ａ１が対応付けられてもよい。
【００２８】
［ＭＨ−短形式イベント記述子のデータ構造］
図７は、ＭＨ−短形式イベント記述子のデータ構造を示す概略図である。
図７に示す例では、ＭＨ−短形式イベント記述子（MH-Short_Event_Descriptor()）は、番組名（event_name_char）、及び番組記述（text_char）を含む。番組名は、番組の名称が記述される。番組記述には、番組の説明が記述される。本実施形態において、番組記述には、番組に関連するコンテンツデータを取得するためのロケーション情報が記述されてもよい。
【００２９】
［ＭＨ−拡張形式イベント記述子のデータ構造］
図８は、ＭＨ−拡張形式イベント記述子のデータ構造を示す概略図である。
図８に示す例では、ＭＨ−拡張形式イベント記述子（MH-Extended_Event_Descriptor()）は、項目毎の項目名（item_description_length）と項目記述（文字符号）（item_char）とを含む。また、ＭＨ−短形式イベント記述子は、拡張記述（文字符号）（text_char）を含む。項目名には、項目の名称が記述される。項目記述（文字符号）には、項目の内容が記述される。一般に、項目名と項目記述（文字符号）とは、番組の配役のリストが記述される。具体的には、例えば、項目名「プロデューサー」であり、項目記述「日本  太郎」である場合、その項目名と項目記述（文字符号）とは、番組のプロデューサーは日本太郎であることを表している。拡張記述（文字符号）には、項目がない、番組についての情報が記述される。本実施形態において、項目名、項目記述（文字符号）、及び拡張記述(文字符号)には、番組に関連するコンテンツデータを取得するためのロケーション情報などが記述されてもよい。
【００３０】
［受信装置の機能構成］
次に、受信装置１０の機能構成について説明する。
図９は、本実施形態に係る受信装置１０の機能構成の一例を示すブロック図である。
受信装置１０は、放送受信部１１と、通信部１２と、赤外線通信部１３と、音声出力部１４と、表示部１５と、記憶部１６と、制御部１７と、を含んで構成される。制御部１７は、復調部１７１と、分離部１７２と、音声処理部１７３と、表示処理部１７４と、を含んで構成される。また、表示処理部１７４は、映像処理部１７５と、番組表生成部１７６と、を含んで構成される。
【００３１】
放送受信部１１は、チューナーを含む。放送受信部１１は、送信装置２０から送出された放送波を受信する。放送受信部１１は、受信した放送波に含まれる放送信号を復調部１７１に出力する。
通信部１２は、ネットワークインターフェースを含み、ネットワークＮＷ（図１）に接続する。通信部１２は、ネットワークＮＷに接続する他の装置との間で情報を送受信する。
赤外線通信部１３は、受信装置１０に付属するリモートコントローラＲＣと赤外線通信を行う。赤外線通信部１３は、リモートコントローラＲＣから、リモートコントローラＲＣが受け付けたユーザの操作を示す信号を受信すると、受信した信号を制御部１７に出力する。
【００３２】
音声出力部１４は、スピーカーを含む。音声出力部１４は、音声処理部１７３から取得した音声信号に基づいて音声を再生する。
表示部１５は、液晶ディスプレイ、有機ＥＬディスプレイなどのディスプレイを含む。表示部１５は、表示処理部１７４から取得した画像信号に基づいて、番組の映像や電子番組表などの画像を表示する。
記憶部１６は、例えば、ＲＯＭ（Read Only Memory）、ＲＡＭ（Random Access Memory）を含み、その他に不揮発メモリ、ＨＤＤ（Hard Disk Drive）などを含むことができる。記憶部１６は、受信装置１０が含むＣＰＵ（Central Processing Unit）が実行するための各種プログラムやＣＰＵが実行した処理の結果などを記憶する。また、記憶部１６は、ビデオメモリを含み、表示部１５が表示する画像を示す画像情報を記憶する。
【００３３】
復調部１７１は、放送受信部１１から受信した放送信号を復調する。復調部１７１は、復調した放送信号を分離部１７２に出力する。
分離部１７２は、復調部１７１から取得した放送信号に含まれる各種情報を分離して、分離された各種情報を各機能部に出力する。具体的には、分離部１７２は、放送信号から番組データと番組情報とを分離する。この番組データは、番組を構成する音声と映像とのうちの少なくともいずれか１つを含むデータである。分離部１７２は、番組データから音声データを分離して音声処理部１７３に出力する。また、分離部１７２は、番組データから映像データを分離して映像処理部１７５に出力する。分離部１７２は、放送信号から分離したＭＭＴ−ＳＩを番組表生成部１７６に出力する。
【００３４】
音声処理部１７３は、分離部１７２から番組の音声信号を取得し、取得した音声信号を復号化する。音声処理部１７３は、復号化した音声信号を音声出力部１４に出力する。また、音声処理部１７３は、通信部１２により取得されたコンテンツデータが符号化された音声信号を含む場合、符号化された音声信号を復号化する。音声処理部１７３は、復号化した音声信号を音声出力部１４に出力する。
【００３５】
表示処理部１７４は、リモートコントローラＲＣが受け付けた操作に応じた画像を表示部１５に表示させる。具体的には、リモートコントローラＲＣがユーザによるチャンネルの選択操作を受け付けると、表示処理部１７４は、選択されたチャンネルにおいて放送されている番組の映像信号を表示部１５に出力する。また、リモートコントローラＲＣが電子番組表を表示させる操作を受け付けると、表示処理部１７４は、電子番組表を生成する。そして、表示処理部１７４は、生成した電子番組表の画像を示す映像信号を表示部１５に出力する。
【００３６】
表示処理部１７４の映像処理部１７５は、分離部１７２から映像信号を取得し、取得した映像信号を復号化する。映像処理部１７５は、復号化した映像信号を表示部１５に出力する。また、映像処理部１７５は、通信部１２により取得されたコンテンツデータが符号化された映像信号を含む場合、符号化された映像信号を復号化する。映像処理部１７５は、復号化した映像信号を表示部１５に出力する。
【００３７】
番組表生成部１７６は、分離部１７２から取得する各種テーブルと、通信部１２により取得するコンテンツデータとに基づいて、電子番組表を生成する。ここで、ＭＨ−ＥＩＴに基づく電子番組表の生成について具体的に説明する。まず、番組表生成部１７６は、分離部１７２からＭＨ−ＥＩＴを取得する。次に、番組表生成部１７６は、取得したＭＨ−ＥＩＴに含まれる番組識別情報と放送日時情報とを取得する。具体的には、番組識別情報は、ＭＨ−ＥＩＴに含まれるイベント識別に記述される情報である。また、放送日時情報は、ＭＨ−ＥＩＴに含まれる開始時間に記述される日時と、継続時間（duration）に記述される放送時間長とにより構成される情報である。番組表生成部１７６は、取得した放送日時情報に基づいて、電子番組表において各番組に対応するセルを定め、電子番組表の枠組みを作成する。次に、番組表生成部１７６は、取得した番組識別情報に対応するコンテンツデータが取得可能か否かをサーバー装置３０に確認する。次に、番組表生成部１７６は、コンテンツデータが取得可能である場合、コンテンツデータの種別に応じて、コンテンツ種別情報と、コンテンツ操作用情報と、コンテンツ概要情報との少なくともいずれか１つを、番組に対応するセルに配置する。また、番組表生成部１７６は、番組がマルチビュー番組である場合、その番組がマルチビュー番組であることを示す情報を、番組に対応するセルに配置する。そして、番組表生成部１７６は、生成した電子番組表を表示処理部１７４に出力する。
【００３８】
ここで、コンテンツ種別情報とは、コンテンツの種別を示す情報である。具体的には、コンテンツ種別情報は、例えば、コンテンツがマルチビュー番組を構成するか否か、コンテンツが映像、静止画像、音声、テキストのいずれか、又はこれらの組み合わせであるかなどを示す。
【００３９】
また、コンテンツ操作用情報とは、ユーザからコンテンツの再生する操作を受け付けるための情報である。具体的には、コンテンツ操作用情報は、例えば、アイコン画像やテキストにより示される。受信装置１０は、表示部１５に表示されているコンテンツ操作用情報が選択された場合、その選択操作に応じてコンテンツを再生する。また、コンテンツ操作用情報は、１つの番組について、複数表示されてもよい。この場合、複数のコンテンツ操作用情報は、それぞれ異なる操作に対応付けられる。具体的には、例えば、番組がマルチビュー番組であり、複数のサブ映像がコンテンツとして取得可能である場合、各サブ映像に対応するコンテンツ操作用情報を表示する。そして、受信装置１０は、コンテンツ操作用情報が選択された場合に、選択されたコンテンツ操作用情報に応じたサブ映像を表示する。なお、コンテンツ操作用情報は、通信を介して伝送されたコンテンツだけでなく、放送波により伝送される番組を再生する操作を受け付けてもよい。
【００４０】
また、コンテンツ概要情報とは、コンテンツの概要を示す情報である。具体的には、例えば、コンテンツが映像である場合に、コンテンツの一部を抽出したダイジェスト映像、サムネイル静止画像、コンテンツの内容を説明する文章などの情報である。
【００４１】
次に、番組表生成部１７６によるサーバー装置３０からのコンテンツの取得について説明する。
番組表生成部１７６は、コンテンツの取得先を、例えば、以下の（１）、（２）のいずれかの方法により特定する。
（１）コンテンツ取得用に新規に定められた記述フィールドの参照
この方法の場合、ＭＭＴ方式において、コンテンツの取得先を定めるロケーション情報を記述するためのデータ構造が新たに定められる。ここで、ロケーション情報とは、例えば、コンテンツの位置を示すＵＲＬ、ＩＰｖ４データフローの送信元アドレス、ＩＰｖ６データフローの送信元アドレスなど、コンテンツの送信元の位置を示す情報である。具体的には、例えば、放送システム１において、コンテンツの取得先を記述するテーブルを新たに設け、そのテーブル内にロケーション情報などを記述する。また、例えば、放送システム１の既存のテーブルにおいて、コンテンツの取得先を記述するフィールドを新たに設け、そのテーブル内にコンテンツの位置を示すロケーション情報を記述する。そして、番組表生成部１７６は、ロケーション情報を参照して特定したロケーションにアクセスすることにより、コンテンツデータを取得する。
【００４２】
（２）既存の記述フィールドの参照
この方法の場合、ＭＭＴ方式において、既に定められているテーブル内のフィールドのうち、任意の情報を記述可能なフィールドにロケーション情報が記述される。
具体的には、例えば、ＭＨ−ＥＩＴ内に含むことができるＭＨ−短形式イベント記述子の番組記述にロケーション情報が記述される。番組記述フィールドにロケーション情報を記述する場合、例えば、ロケーション情報と番組の説明とを区別するためのタグ情報が挿入される。番組表生成部１７６は、このタグ情報に基づいて、ロケーション情報を抽出する。そして、抽出したロケーション情報を参照して特定したロケーションにアクセスすることにより、コンテンツデータを取得する。
【００４３】
また、別の一例として、ＭＨ−ＥＩＴ内に含むことができるＭＨ−拡張形式イベント記述子の項目記述（文字符号又は拡張記述にロケーション情報が記述されてもよい。項目記述（文字符号）にロケーション情報を記述する場合、項目名（文字符号）に、項目記述（文字符号）にロケーション情報が記述される旨を記述する。これにより、番組表生成部１７６は、ロケーション情報を参照することができる。また、拡張記述フィールドにロケーション情報を記述する場合、例えば、このフィールドにロケーション情報を区別するためのタグ情報が挿入される。番組表生成部１７６は、このタグ情報に基づいて、ロケーション情報を抽出する。そして、抽出したロケーション情報を参照して特定したロケーションにアクセスすることにより、コンテンツデータを取得する。
【００４４】
次に、番組がマルチビュー番組であるか否かを判定する処理について説明する。
まず、番組表生成部１７６は、ＭＨ−ＥＩＴの記述子領域にＭＨ−コンポーネントグループ記述子が記述されているか否かを判定する。当該記述子が記述されている場合、番組表生成部１７６は、ＭＨ−コンポーネントグループ記述子において、複数のコンポーネントグループ識別のそれぞれについて、それぞれ異なる映像データを示すコンポーネントタグ値が記述されているか否かを判定する。番組表生成部１７６は、当該タグ値が記述されている場合、番組がマルチビュー番組であると判定する。これに対し、上述のタグ値が記述されていない場合、番組がマルチビュー番組ではないと判定する。
【００４５】
なお、送信装置２０は、番組がマルチビュー番組であることを示す情報やロケーション情報などが、上述した各フィールドに記述されたテーブルを含む放送波を送出することができる。
【００４６】
［受信装置の動作］
次に、受信装置１０の動作について説明する。
図１０は、本実施形態に係る受信装置１０による電子番組表の生成処理の流れの一例を示すフローチャートである。
（ステップＳ１０１）まず、制御部１７（図９）は、放送信号から番組情報を取得する。その後、制御部１７は、ステップＳ１０２に処理を進める。
（ステップＳ１０２）次に、制御部１７は、番組情報に含まれる番組の放送日時に基づいて電子番組表の枠組みを構成する。このとき、制御部１７は、番組情報に含まれる番組名、詳細の説明など、電子番組表において表示する情報を配置する。その後、制御部１７は、ステップＳ１０３に処理を進める。
（ステップＳ１０３）次に、制御部１７は、ステップＳ１０４、Ｓ１０５の処理を電子番組表において枠組みを定めた各番組について実行する。制御部１７は、未処理の番組がなくなるまで、ステップＳ１０４、Ｓ１０５の処理を繰り返し実行する。その後、制御部１７は、この図に示される処理を終了する。
（ステップＳ１０４）次に、制御部１７は、番組に対応するコンテンツが存在するか否かを判定する。番組に対応するコンテンツがある場合（ステップＳ１０４；ＹＥＳ）、制御部１７は、ステップＳ１０５に処理を進める。番組に対応するコンテンツがない場合（ステップＳ１０４；ＮＯ）、制御部１７は、未処理の番組について、ステップＳ１０３の処理を実行する。
（ステップＳ１０５）次に、制御部１７は、コンテンツの種別に応じた情報を、そのコンテンツに対応する番組の枠内に配置する。
【００４７】
［電子番組表の表示１：共通］
次に、電子番組表について図２を用いて説明する。
図２に示す例において、電子番組表において示される番組には、番組ごとに異なるコンテンツが関連付けられている。
具体的には、コンテンツには、マルチビュー番組のサブ映像のような番組の一部を構成するコンポーネントが含まれる。また、コンテンツには、番組のサムネイル画像、番組のサムネイル音声、番組の予告映像などの番組の概要を示す情報が含まれる。また、コンテンツには、番組において紹介されたグッズ、番組の企画商品、番組において紹介された場所への旅行案内などの広告情報が含まれる。また、コンテンツには、番組の内容を補充する追加情報などが含まれる。これらの情報は、画像、テキストの他、ホームページへのリンクなどにより表される。図２に示す例において、ダイジェスト映像Ｐ２２は、番組の概要を示すコンテンツの一例である。また、広告画像Ｐ３１、リンク選択用ボタン画像Ｐ２４、Ｐ４２、Ｐ４３は、広告情報の一例である。また、地図画像Ｐ２３、静止画像Ｐ４１、リンク選択用ボタン画像Ｐ４４は、追加情報の一例である。
【００４８】
［電子番組表の表示２：マルチビュー］
次に、番組がマルチビュー番組である場合の電子番組表の構成について説明する。
図２に示す例において、上述したように、「Ａテレビジョン」が「７」時から放送する番組「東京Ｇ  ｖｓ  大阪Ｔ」は、マルチビュー番組である。この図に示す例において、受信装置１０は、この番組がマルチビュー番組であることを示すアイコン画像Ｐ１１を表示する。このアイコン画像はＰ１１は、コンテンツ種別情報の一例である。また、図２に示す例において、受信装置１０は、このマルチビュー番組を構成する４つの映像のいずれかを選択するためのボタン画像Ｐ１２〜Ｐ１４を表示する。これらのボタン画像Ｐ１２〜Ｐ１４は、コンテンツ操作用情報の一例である。そして、これらのボタン画像Ｐ１２〜Ｐ１４のいずれかが選択された場合、表示処理部１７４は、受信装置１０は、選択されたボタン画像に対応する映像を再生する。このように、番組がマルチビュー番組である場合には、受信装置１０は、番組を構成する各映像の選択を受け付けるコンテンツ操作用情報を、電子番組上に表示する。これにより、ユーザは、電子番組表からマルチビュー番組の映像を切り換えたり、特定のアングルからの映像を録画予約したりできる。なお、受信装置１０は、マルチビュー番組を構成する複数の映像のいずれか１つを表示部１５に表示してもよいし、複数の映像を並べて表示部１５に表示してもよい。複数の映像を並べて表示する場合には、複数のコンテンツ操作用情報を選択可能としてもよい。
【００４９】
［電子番組表の表示３：通信を介して送信された番組の案内］
次に、番組がコンテンツとして通信により送信される場合について説明する。
上述したように放送システム１では、放送と通信とにより映像を送信することができる。従って、放送システム１では、同一の番組が放送と通信とにより受信装置１０に送信されたり、サーバー装置３０のみから番組がコンテンツとして受信装置１０に送信されたりすることが想定される。そして、通信の伝送路は、放送の伝送路とは異なり、双方向に情報を送受信することができる。従って、番組がコンテンツとして受信装置１０に送信される場合、受信装置１０は、自装置から要求を行うことにより番組データをサーバー装置３０から取得することが想定される。
【００５０】
そこで、受信装置１０は、番組がコンテンツとして通信により送信される場合には、番組の再生位置を選択するためのボタン画像Ｐ２１、Ｐ３２などを電子番組表に配置する。これらのボタン画像Ｐ２１、Ｐ３２は、コンテンツ操作用情報の一例である。この一例において、ボタン画像Ｐ２１は、番組を先頭フレームから再生する操作を受け付けるための画像である。ボタン画像Ｐ２１が選択された場合、受信装置１０は、例えば、サーバー装置３０に対して、番組データを先頭フレームから要求する。そして、要求に応じて取得された番組を表示する。
なお、受信装置１０は、番組の再生位置の他、再生速度などを操作するためのコンテンツ操作用情報をセル内に表示してもよい。また、受信装置１０は、同様のコンテンツ操作用情報を、蓄積型放送番組のセル内に表示してもよい。
【００５１】
以上説明したように、受信装置１０は、放送により送出される番組の放送スケジュールを示す電子番組表に、通信を介して取得されるコンテンツに関する情報を一元表示する。また、受信装置１０は、電子番組表により示す、放送により伝送される番組と、通信により伝送されるコンテンツとの両方に対する操作を受け付ける。つまり、受信装置１０は、放送波と、ネットワークとのいずれにより提供される情報に対しても、統一したインターフェースでアクセスできる環境を提供する。これにより、ユーザは、放送と通信という伝送路の違いを意識することなく、番組の表示やコンテンツの再生を行うことができる。
【００５２】
（第２の実施形態）
次に、本発明の第２の実施形態に係る放送システム１ｂについて説明する。以下では、上述した実施形態と同一の構成については、同一の符号を付して説明を援用する。
本実施形態に係る放送システム１ｂ（不図示）は、第１の実施形態に係る放送システム１（図１）における受信装置１０（図１）に代えて受信装置１０ｂを備える。
また、本実施形態に係る受信装置１０ｂは、第１の実施形態に係る受信装置１０（図９）における番組表生成部１７６（図９）に代えて、番組表生成部１７６ｂ（不図示）を備える。
本実施形態に係る受信装置１０ｂは、第１の実施形態に係る受信装置１０と同様に、電子番組表を表示する。ただし、受信装置１０ｂは、自装置がマルチビュー番組を表示できない場合に、電子番組表におけるその番組の情報の表示態様を変更する点で、受信装置１０とは異なる。
【００５３】
［電子番組表の概要］
次に、図１１を参照して、本実施形態に係る電子番組表の概要を説明する。
図１１は、本実施形態に係る受信装置１０ｂが表示する電子番組表の一例を示す模式図である。
図１１の電子番組表と、図２の電子番組表とは、同一の放送スケジュールを示している。例えば、図２及び図１１に示す例において、「Ａテレビジョン」が「７」時から「９」時の間に放送する番組「東京Ｇ  ｖｓ  大阪Ｔ」は、マルチビュー番組である。
【００５４】
しかしながら、本実施形態に係る番組表生成部１７６ｂは、自装置がマルチビュー番組を表示できない場合に、その番組について、マルチビュー番組に特有の情報を含まない電子番組表を生成する。具体的には、まず、番組表生成部１７６ｂは、自装置がマルチビュー番組を表示できるか否かを判定する。ここで、受信装置１０ｂがマルチビュー番組を表示できない場合とは、例えば、降雨減衰などにより放送を介した映像データの取得ができない場合、ネットワークＮＷ、サーバー装置３０などにおける障害の発生により通信を介した映像データの取得ができない場合などである。つまり、マルチビュー番組を表示できない場合とは、換言すると、マルチビュー番組を構成する複数の映像データのうちの少なくとも一部を、放送又は通信を介して取得できない場合である。番組表生成部１７６ｂは、自装置がマルチビュー番組を表示できないと判定した場合は、その番組に対応するセルにおいて、マルチビュー番組であることを示すアイコン画像や、映像を選択するためのボタン画像を含まない電子番組表を生成する。
【００５５】
そのため、図１１に示される番組表生成部１７６ｂが生成した電子番組表には、当該番組がマルチビュー番組であることを示すアイコン画像Ｐ１１、及び、当該マルチビュー番組を構成する４つの映像のいずれかを選択するためのボタン画像Ｐ１２〜Ｐ１４が表示されていない。これにより、ユーザは、受信装置１０ｂにより視聴することができないマルチビュー番組について、余計な情報を知らずに済む。また、ユーザは、受信装置１０ｂにより視聴することができないマルチビュー番組について、ボタン画像Ｐ１２〜Ｐ１４などを選択してしまうなど、余計な操作を行わずに済む。
【００５６】
なお、番組表生成部１７６ｂにより生成される電子番組表において、マルチビュー番組についての情報の表示態様は上述した例に限られない。具体的には、例えば、番組表生成部１７６ｂは、自装置がマルチビュー番組を表示できない場合、そのマルチビュー番組に対応するセルにおいて、番組がマルチビュー番組であることを示すアイコン画像と、その番組をマルチビューで表示することができない旨とを示す電子番組表を生成してもよい。また、番組表生成部１７６ｂは、マルチビュー番組が３つ以上の映像データにより構成され、そのうちの複数の映像データを取得できる場合には、当該取得できる映像データを選択し、表示させるためのボタン画像を、対応するセル内に配置した電子番組表を生成してもよい。また、番組表生成部１７６ｂは、自装置がマルチビュー番組を表示することができない場合、その理由を、マルチビュー番組に対応するセル内に表示する電子番組表を生成してもよい。
【００５７】
［受信装置のハードウェア構成］
次に、受信装置１０のハードウェア構成について説明する。
図１２は、上述した各実施形態に係る受信装置１０のハードウェア構成の一例を示すブロック図である。
受信装置１０は、ＣＰＵ１００、ＲＯＭ１００１、ＲＡＭ１００２、不揮発メモリ１００３、チューナー（Tuner）１０１、ネットワークインターフェース（Network I/F）１０２、復調モジュール（Decrypt）１０３、分離モジュール（Demux）１０４、音声復号モジュール（Audio Decoder）１０５、スピーカー１０６、映像復号モジュール（Video Decoder）１０７、描画モジュール１０８、ビデオメモリ１０８１、及びディスプレイ１０９を含んで構成される。
ＣＰＵ１００と、記憶媒体１００１と、チューナー１０１と、ネットワークインターフェース１０２と、復調モジュール１０３と、分離モジュール１０４と、音声復号モジュール１０５と、映像復号モジュール１０７と、描画モジュール１０８と、ビデオメモリ１０８１とは、バス（母線）を介して相互に接続される。
【００５８】
ＣＰＵ１００は、プログラム、各種データを読み出して、当該ＣＰＵ１００を備える自装置を制御する。ＲＯＭ１００１は、例えば、プログラムを記憶する記憶媒体である。ＲＡＭ１００２は、例えば、各種データ、プログラムを一時的に記憶する記憶媒体である。不揮発メモリは、ＨＤＤ、フラッシュメモリなどの記憶媒体であり、例えば、各種データを記憶する。
【００５９】
ＣＰＵ１００が読み出すプログラムは、ＲＯＭ１００１に記憶されている一例を示したが、他の記憶媒体に記憶されていてもよいし、ネットワークＮＷからダウンロードされたものであってもよい。ＣＰＵ１００が読み出す各種データは、不揮発メモリに記憶されている一例を示したが、ＲＯＭ１００１に記憶されていてもよいし、ネットワークＮＷからダウンロードした各種データであってもよい。
【００６０】
チューナー１０１は、放送波を受信する。ネットワークインターフェース１０２は、通信用インターフェースを有し、有線又は無線によりネットワークＮＷに接続される。復調モジュール１０３は、放送信号を復調する。分離モジュール１０４は、放送信号から各種データを分離する。音声復号モジュール１０５は、符号化された音声信号を復号化する。映像復号モジュール１０７は、符号化された映像信号を復号化する。ビデオメモリは、ディスプレイ１０９に表示される画像情報を記憶する。描画モジュール１０８は、ビデオメモリへの画像情報の書き込みと、ディスプレイ１０９への画像信号の出力とを制御する。
【００６１】
なお、上述した実施形態では、放送システム１がメディアトランスポート方式としてＭＭＴ方式を用いる例について説明したが、これには限られない。放送システム１は、例えば、ＭＰＥＧ−２  ＴＳ（Moving Picture Experts Group-2 Transport Stream）方式やＲＴＰ（Real-time Transport Protocol）方式をメディアトランスポート方式に用いてもよい。メディアトランスポート方式としてＭＰＥＧ−２  ＴＳ方式が用いられる場合、番組情報は、例えば、ＰＳＩ（番組特定情報、Program Specific Information）／ＳＩ（サービス情報、Service Information）である。
なお、上述した実施形態において、番組情報は、外部のサーバー装置３０から、通信を介して取得されてもよい。
【００６２】
なお、上述した実施形態における受信装置１０、送信装置２０、及びサーバー装置３０の一部、例えば、制御部１７をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、受信装置１０、送信装置２０、及びサーバー装置３０に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバーやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムに既に記録されているプログラムとの組み合わせで実現できるものであってもよい。
【００６３】
また、上述した実施形態における受信装置１０、送信装置２０、及びサーバー装置３０の一部、又は全部を、ＬＳＩ（Large Scale Integration）等の集積回路として実現してもよい。受信装置１０、送信装置２０、及びサーバー装置３０の各機能ブロックは個別にプロセッサ化してもよいし、一部、又は全部を集積してプロセッサ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いてもよい。
【００６４】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００６５】
１…放送システム、１０…受信装置、２０…送信装置、３０…サーバー装置、ＢＳ…放送衛星、ＮＷ…ネットワーク、１１…放送受信部、１２…通信部、１３…赤外線通信部、１４…音声出力部、１５…表示部、１６…記憶部、１７…制御部、１７１…復調部、１７２…分離部、１７３…音声処理部、１７４…表示処理部、１７５…映像処理部、１７６…番組表生成部、ＲＣ…リモートコントローラ
【図１】
2016096512.tif 000003
【図２】
2016096512.tif 000004
【図３】
2016096512.tif 000005
【図４】
2016096512.tif 000006
【図５】
2016096512.tif 000007
【図６】
2016096512.tif 000008
【図７】
2016096512.tif 000009
【図８】
2016096512.tif 000010
【図９】
2016096512.tif 000011
【図１０】
2016096512.tif 000012
【図１１】
2016096512.tif 000013
【図１２】
2016096512.tif 000014